(57)【特許請求の範囲】
【請求項１】
ソース進化型ノードＢ（ｅＮＢ）において実現される装置であって、
ユーザ装置（ＵＥ）から受信されるメジャメントレポートに基づき、前記ＵＥの接続がターゲットｅＮＢにハンドオーバされるべきであると判断し、
前記接続がハンドオーバされるべきであるという判断に基づき、前記接続のハンドオーバを実行するために前記ターゲットｅＮＢにより提供されるターゲットセルに対応する１つ以上のパラメータを含む自律的ハンドオーバ許可を生成し、
前記ターゲットｅＮＢへの前記ＵＥのコンテクストの提供を実行するハンドオーバ制御回路と、
前記ＵＥに前記自律的ハンドオーバ許可を送信するよう無線周波数（ＲＦ）回路を制御するＲＦ制御回路と、
を有し、
前記自律的ハンドオーバ許可は、タイマのためのハンドオーバタイマ値を含み、
前記ハンドオーバ制御回路は、前記ＵＥが前記タイマの満了前にハンドオーバコマンドを受信した場合、前記ＵＥに非コンテンションベースランダムアクセスチャネル（ＲＡＣＨ）プロセスを開始させ、前記ＵＥが前記タイマの満了前に前記ハンドオーバコマンドを受信しなかった場合、前記ＵＥにコンテンションベースＲＡＣＨプロセスを開始させる装置。
【請求項２】
前記１つ以上のパラメータは、前記ターゲットｅＮＢの識別情報を有する、請求項１記載の装置。
【請求項３】
前記１つ以上のパラメータは、前記ターゲットｅＮＢのシステム情報ブロック（ＳＩＢ）情報を有する、請求項１記載の装置。
【請求項４】
前記１つ以上のパラメータは、前記ターゲットｅＮＢが前記ＵＥのコンテクストを取得するための許可を有する、請求項１記載の装置。
【請求項５】
前記１つ以上のパラメータは、前記ＵＥがハンドオーバコマンドを受信することなく前記ハンドオーバに以降に進むことが可能な期間を規定するためのハンドオーバタイマ値を有する、請求項１記載の装置。
【請求項６】
前記ハンドオーバ制御回路は、前記ターゲットｅＮＢへの前記コンテクストの送信を介し前記ターゲットｅＮＢへの前記ＵＥのコンテクストの提供を実行する、請求項１乃至５何れか一項記載の装置。
【請求項７】
前記ハンドオーバ制御回路は、前記ＵＥのコンテクストをターゲットｅＮＢに送信するアンカーノードへの前記コンテクストの送信を介し前記ターゲットｅＮＢへの前記ＵＥのコンテクストの提供を実行する、請求項１乃至５何れか一項記載の装置。
【請求項８】
前記ハンドオーバ制御回路は更に、ハンドオーバコマンドを生成し、
前記ＲＦ制御回路は、前記ＵＥに前記ハンドオーバコマンドを送信するよう前記ＲＦ回路を制御する、請求項１乃至５何れか一項記載の装置。
【請求項９】
前記ハンドオーバ制御回路は更に、
ハンドオーバ要求を前記ターゲットｅＮＢに送信させ、
前記ターゲットｅＮＢへの前記ハンドオーバ要求の送信に応答して、前記ターゲットｅＮＢからのアクノリッジメントを処理し、
前記アクノリッジメントに基づきハンドオーバコマンドを生成する、請求項１乃至５何れか一項記載の装置。
【請求項１０】
ユーザ装置（ＵＥ）において実現される装置であって、
ソース進化型ノードＢ（ｅＮＢ）との接続に基づきメジャメントレポートを生成し、
ターゲットｅＮＢにより提供されるターゲットセルに対応するハンドオーバタイマ値を含む１つ以上のパラメータを有する前記ソースｅＮＢから送信される自律的ハンドオーバ許可を処理し、
前記ＵＥのコンテクストを受信するターゲットｅＮＢを特定し、
前記ハンドオーバタイマ値によるタイマをスタートし、
ハンドオーバコマンドが前記タイマの満了前に受信された場合、非コンテンションベースランダムアクセスチャネル（ＲＡＣＨ）プロセスを開始し、
前記ハンドオーバコマンドが前記タイマの満了前に受信されなかった場合、コンテンションベースＲＡＣＨプロセスを開始するハンドオーバ制御回路と、
前記メジャメントレポートを前記ソースｅＮＢに送信し、前記ソースｅＮＢから前記自律的ハンドオーバ許可を受信するよう無線周波数（ＲＦ）回路を制御するＲＦ制御回路と、
を有する装置。
【請求項１１】
前記１つ以上のパラメータは、前記ターゲットｅＮＢの識別情報を有する、請求項１０記載の装置。
【請求項１２】
前記ＲＦ制御回路は更に、前記ソースｅＮＢから送信されるハンドオーバコマンドを受信し、
前記ハンドオーバ制御回路は更に、前記ソースｅＮＢから送信される前記ハンドオーバコマンドを処理する、請求項１０又は１１記載の装置。
【請求項１３】
前記ハンドオーバ制御回路は更に、前記タイマが満了し、前記ＵＥによるハンドオーバコマンドの受信がないとき、１つ以上の利用可能なｅＮＢから前記ターゲットｅＮＢを特定する、請求項１０記載の装置。
【請求項１４】
前記自律的ハンドオーバ許可の１つ以上のパラメータは、前記１つ以上の利用可能なｅＮＢの識別情報を有する、請求項１３記載の装置。
【請求項１５】
前記自律的ハンドオーバ許可の１つ以上のパラメータは、前記ターゲットセルの１つ以上のシステム情報ブロックの識別情報を有する、請求項１０又は１１記載の装置。
【発明の詳細な説明】
【技術分野】
【０００１】
本出願は、参照することによりその全体がここに援用される２０１４年７月２１日に出願された“ＮＥＴＷＯＲＫ  ＣＯＮＴＲＯＬＬＥＤ  ＡＵＴＯＮＯＭＯＵＳ  ＨＡＮＤＯＶＥＲ”という名称の米国仮出願第６２／０２７，１７０号の利益を請求する。
【０００２】
本開示の実施例は、一般に無線通信の分野に関し、より詳細にはマルチセルネットワークにおけるハンドオーバのための方法、システム及び装置に関する。
【背景技術】
【０００３】
多くのシナリオにおいて、第１の第三世代パートナーシッププロジェクト（３ＧＰＰ）の進化型ノードＢ（ｅＮＢ）に接続されるユーザ装置（ＵＥ）は、ダウ２のｅＮＢにハンドオーバされる必要があり得る。これらはそれぞれソースｅＮＢ及びターゲットｅＮＢとして参照されてもよい。しかしながら、ＵＥはハンドオーバコマンド（ＨＯコマンド）を受信しない可能性があるため、しばしばハンドオーバは失敗するかもしれない。しばしば、ＵＥはＨＯコマンドなしにターゲットセルに接続することを試みる。しかしながら、これらの状況では、ターゲットｅＮＢはＵＥのコンテクストを有していないため、実質的な遅延がしばしが生じ、従って、ＵＥによる接続要求を拒絶する。このような場合、ＵＥは強制的にアイドル状態に移行し、セキュリティキーが破棄され、その後にＵＥがターゲットｅＮＢに再接続するときに再生成されるため、更なる遅延を招き、接続が確立できる。
【図面の簡単な説明】
【０００４】
実施例は、添付図面と共に以下の詳細な説明によって容易に理解されるであろう。本説明を容易にするため、同様の参照番号は同様の構成要素を示す。実施例は、添付図面の図において限定的でなく例示的に示される。
【図１】図１は、各種実施例による無線通信環境を概略的に示す。
【図２】図２は、各種実施例によるネットワークにより提供される自律的ハンドオーバ手順を示す。
【図３】図３は、各種実施例による第２のネットワークにより提供される自律的ハンドオーバ手順を示す。
【図４】図４は、各種実施例によるソースｅＮＢの動作方法を示すフローチャートである。
【図５】図５は、各種実施例によるソースｅＮＢの更なる動作方法を示すフローチャートである。
【図６】図６は、各種実施例によるＵＥの動作方法を示すフローチャートである。
【図７】図７は、各種実施例によるＵＥの第２の動作方法を示すフローチャートである。
【図８】図８は、各種実施例によるターゲットｅＮＢの動作方法を示すフローチャートである。
【図９】図９は、ここに説明される各種実施例を実施するのに利用可能な一例となるシステムのブロック図である。
【発明を実施するための形態】
【０００５】
以下の詳細な説明では、その一部を構成する添付図面が参照され、同様の数字は全体を通じて同様のパーツを示し、実施されうる実施例が例示的に示される。他の実施例が利用されてもよく、構成的又は論理的変更が本開示の範囲から逸脱することなく行われうることが理解されるべきである。
【０００６】
各種処理は、請求される主題を理解するのに最も役立つ方式で複数の個別のアクション又は処理として説明されてもよい。しかしながら、説明の順序は、これらの処理が順序依存である必要があることを意味するものとして解釈されるべきでない。特に、これらの処理は提示の順序で実行されなくてもよい。説明される処理は説明される実施例と異なる順序で実行されてもよい。更なる各種処理が実行されてもよく、及び／又は説明される処理は更なる実施例において省略されてもよい。
【０００７】
本開示のため、フレーズ“Ａ及び／又はＢ”は、（Ａ）、（Ｂ）又は（Ａ及び）を意味する。本開示のため、フレーズ“Ａ，Ｂ及び／又はＣ”は、（Ａ）、（Ｂ）、（Ｃ）、（Ａ及びＢ）、（Ａ及びＣ）、（Ｂ及びＣ）又は（Ａ，Ｂ及びＣ）を意味する。当該説明は、“ある実施例では”又は“複数の実施例では”というフレーズを用いてもよく、それぞれは同一又は異なる実施例の１つ以上を参照しうる。さらに、本開示の実施例に関して用いられるような“有する”、“含む”などの用語は同義的である。
【０００８】
ここで用いられる“回路”という用語は、説明される機能を提供する１つ以上のソフトウェア又はファームウェアプログラム、組み合わせ論理回路及び／又は他の適切なハードウェアコンポーネントを実行する特定用途向け集積回路（ＡＳＩＣ）、電子回路、プロセッサ（共有、専用又はグループ）及び／又はメモリ（共有、専用又はグループ）を参照し、一部であり、又は含むものであってもよい。
【０００９】
図１は、各種実施例による無線通信環境１００を概略的に示す。環境１００は、例えば、ロングタームエボリューション（ＬＴＥ）ネットワーク又はＬＴＥ−Ａｄｖａｎｃｅｄ（ＬＴＥ−Ａ）ネットワークなどの３ＧＰＰネットワークにおける１つ以上のｅＮＢと無線通信するＵＥ１０５を有してもよい。特に、図１は、ＵＥ１０５が無線通信可能なソースｅＮＢ１００及びターゲットｅＮＢ１５０を示す。各種実施例では、ＵＥ１０５は、最初にソースｅＮＢ１００と確立された無線接続１０１を有してもよい。ここで説明される技術、装置及びシステムの利用を通じて、ＵＥ１０５は、ターゲットｅＮＢ１５０との無線接続を生成するためにハンドオーバを実行する。各種実施例では、ハンドオーバはＵＥ１０５のコンテクストのターゲットｅＮＢ１５０への転送を介して確立されてもよい。各種実施例では、ＵＥ１０５のコンテクストは、ＵＥ１０５とターゲットｅＮＢ１５０との間の接続の確立及び維持を実現するＵＥ１０５に関連する情報を有する。例えば、ＵＥコンテクストは、限定することなく、アップリンクＰＤＣＰ（Ｐａｃｋｅｔ  Ｄａｔａ  Ｃｏｎｖｅｒｇｅｎｃｅ  Ｐｒｏｔｏｃｏｌ）シーケンス番号（ＳＮ）と共に、ハイパーフレーム番号（ＨＦＮ）受信機状態及びダウンリンクＰＤＣＰ  ＳＮ及びＨＦＮＭ送信機状態、ＵＥ１０５の識別子、転送用のＥ−ＲＡＢ  ＩＤ（ＥＵＴＲＡＮ  Ｒａｄｉｏ  Ａｃｃｅｓｓ  Ｂｅａｒｅｒ  ＩＤ）などを含むものであってもよい。
【００１０】
各種実施例では、ソースｅＮＢ１００及びターゲットｅＮＢ１５０に適用される“ソース”及び“ターゲット”という用語は、ソースｅＮＢ１００及びターゲットｅＮＢ１５０の能力又は数に関する特定の限定を意味することを意図しない。代わりに、当該用語は、ＵＥ１０５が初期的な無線接続を有するソースｅＮＢ１００と、以降の無線接続１０２を生成するためＵＥ１０５がハンドオーバするターゲットｅＮＢ１５０とを区別するのに用いられる。
【００１１】
各種実施例では、ソースｅＮＢ１００及びターゲットｅＮＢ１５０及び／又はＵＥ１０５は、ここに説明される各種実施例を実行するための回路を有してもよい。例えば、ソースｅＮＢ１００は、自律的ハンドオーバの許可、ハンドオーバコマンド、メジャメントレポート、ハンドオーバ要求、ハンドオーバ要求のＡＣＫなどを含む各種通信の生成及び処理を実行するよう構成可能なハンドオーバ制御回路（ＨＯＣＣ）１１０を有してもよい。ソースｅＮＢ１５０はまた、ここに説明される通信を送受信するための無線周波数（ＲＦ）回路を制御するよう構成可能な無線周波数制御回路（ＲＦＣＣ）１２０を有してもよい。
【００１２】
ソースｅＮＢ１００と同様に、ターゲットｅＮＢ１５０は、ここに説明されるハンドオーバ技術に関連する通信を生成及び処理するよう構成可能なＨＯＣＣ１６０を有してもよい。ターゲットｅＮＢ１５０はまた、ここに説明される通信を送受信するよう同様に構成可能なＲＦＣＣ１７０を有してもよい。ＵＥ１０５は、同様にここに説明されるハンドオーバ技術を同様に実行するためのＨＯＣＣ及びＲＦＣＣ（図示せず）を有してもよい。
【００１３】
各種実施例では、ソースｅＮＢ１００のハンドオーバ制御回路１１０は、ＵＥ１０５への送信用の自律的ハンドオーバ許可（ＡＨＧ）を生成するよう構成される。ＨＯＣＣ１１０は、無線接続１０１を生成するため、無線接続１０１からターゲットｅＮＢ１５０へのＵＥ１０５のハンドオーバを可能にするための決定に応答して、ＡＨＧを生成してもよい。ＨＯＣＣ１１０は、理解されうるように、ＵＥ１０５とソースｅＮＢ１００との間の無線接続１０１に関する情報を含むメジャメントレポートに基づき当該決定を実行してもよい。
【００１４】
各種実施例では、ＡＨＧは、ターゲットｅＮＢ１５０により提供されるターゲットセルに対応する１つ以上のパラメータを有してもよい。例えば、ＡＨＧは、ターゲットｅＮＢ１５０の識別情報を有してもよい。各種実施例では、ＡＨＧは、当該識別情報のみを有するか、又は、ＵＥ１０５による接続のため利用可能な他のｅＮＢの表示と共に、ターゲットｅＮＢ１５０の識別情報を有してもよい。各種実施例では、１つ以上のｅＮＢの識別情報を提供することによって、ソースｅＮＢ１００は、各種ｅＮＢの間のロードバランシング又は輻輳を実現するなどのため、ネットワークニーズに従ってＵＥ１０５により良好に指示してもよい。ＨＯＣＣ１１０はまた、ハンドオーバコマンド（ＨＯコマンド）をＵＥ１０５に提供するよう構成されてもよい。各種実施例では、当該ＨＯコマンドは、無線接続１０１が故障しているときなど、ＵＥ１０５により受信されるか、又はされないかもしれない。各種実施例では、後述されるように、ＡＨＧは、ＨＯコマンドを受信することなくＵＥ１０５がハンドオーバに進む期間を規定するためのハンドオーバコマンドタイマ値を有してもよい。各種実施例では、ＡＨＧはまた、ハンドオーバ中にＵＥ１０５により利用可能なシステム情報を含む１つ以上のシステム情報ブロック（ＳＩＢ）を有してもよい。
【００１５】
各種実施例では、ＨＯＣＣ１１０はまた、ターゲットｅＮＢ１５０にハンドオーバ要求を生成するよう構成されてもよく、これに対応して、ＨＯＣＣ１６０は、ソースｅＮＢ１００に返すハンドオーバ要求のＡＣＫを生成するよう構成されてもよい。
【００１６】
ソースｅＮＢ１００はまた、各種実施例では、任意的にＵＥ１０５のコンテクストをターゲットｅＮＢ１５０に提供してもよい。他の実施例では、ターゲットｅＮＢ１５０に直接提供されるよりも、コンテクストフェッチ要求がＨＯＣＣ１６０により生成され、ソースｅＮＢ１００（又はアンカー１９０）に送信されてもよい。各種実施例では、アンカー１９０は、ターゲットｅＮＢ１５０（又は他のターゲットｅＮＢ）がソースｅＮＢ１００からの要求なしに情報を以降にフェッチするように、ＵＥコンテクストを記憶するためのノードを有してもよい。このようなコンテクストフェッチ要求がターゲットｅＮＢ１５０から受信されると、ソースｅＮＢ１００又はアンカー１９０は、ターゲットｅＮＢ１５０へのハンドオーバを許可するためのハンドオーバ決定が以前になされたことを確認してもよい。各種実施例は、ＡＨＧは、ＵＥ１０５がハンドオーバを実行するための許可を有していることを示すための許可を有してもよい。このような実施例では、ＵＥ１０５のＨＯＣＣは、ＲＡＣＨ手順中にターゲットｅＮＢ１５０に許可を送信するよう構成されてもよい。ターゲットｅＮＢ１５０はそれから、ソースｅＮＢ１００又はアンカー１９０に対するコンテクストフェッチ要求を行う前に当該許可を検証してもよい。コンテクストフェッチ要求に応答して、ソースｅＮＢ１００又はアンカー１９０は、ＵＥ１０５のＵＥコンテクストをターゲットｅＮＢ１５０に提供する。
【００１７】
各種実施例では、ＵＥ１０５は、ターゲットｅＮＢ１５０を介しネットワークと同期するため、ランダムアクセスチャネル手順（ＲＡＣＨ）を実行する。各種実施例では、ＲＡＣＨは、理解されるように、ＵＥ１０５がＨＯコマンドを受信したか否かに応じて等、コンテンションベース又は非コンテンションベースであってもよい。ＲＡＣＨに応答して、ターゲットｅＮＢ１５０は、アップリンク割当てをＵＥ１０５に提供し、ＵＥ１０５は、ターゲットｅＮＢ１５０へのハンドオーバを完了させ、接続１０２を確立する。
【００１８】
図２は、各種実施例によるネットワークにより提供される自律的ハンドオーバ手順を示す。
【００１９】
２０１において、ＵＥ１０５は、メジャメントレポートをソースｅＮＢ１００に送信する。メジャメントレポートは、測定イベントのトリガに応答して、又は報告タイマの満了によって、ＵＥ１０５により送信されてもよい。２０２において、ソースｅＮＢ１００は、ＨＯＣＣ１００などによって、レポートに基づきハンドオーバ決定を行ってもよい。図２の具体例では、ＵＥ１０５の接続のハンドオーバを開始するための決定がなされ、ハンドオーバ手順が継続する。
【００２０】
２０３において、ハンドオーバを決定したことに応答して、ソースｅＮＢ１００は、ＡＨＧをＵＥ１０５に送信する。各種実施例では、ＡＨＧは、接続１０１の自律的ハンドオーバを実現するため、ターゲットｅＮＢにより提供されるターゲットセルに対応する１つ以上のパラメータを有する。例えば、ＡＨＧは、ターゲットｅＮＢ１５０の識別情報及び／又は利用可能なｅＮＢ（ターゲットｅＮＢを含んでもよい）のリストを含むものであってもよい。ＡＨＧはまた、ＵＥ１０５がＨＯコマンドを待機するためのタイマを設定するため、ＵＥ１０５により利用可能なハンドオーバタイマ値を有してもよい。ＡＨＧはまた、ＵＥ１０５がハンドオーバを実行することが許可されていることを示すソースｅＮＢ１００からの許可を有してもよい。当該許可は、フェッチコンテクスト要求を実行するか判断するため、ターゲットｅＮＢ１５０により以降に利用されてもよい。
【００２１】
２０４において、ソースｅＮＢ１００は、ターゲットｅＮＢ１５０にＨＯ要求を送信し、２０５において、応答でＵＥ１０５による利用のためにターゲットｅＮＢ１５０に関連するモビリティ情報を含むＨＯ要求のＡＣＫを受信してもよい。一部の実施例では、当該ＨＯ要求は、ＵＥ１０５のＵＥコンテクストを含むものであってもよく、しかしながら、図２に示されるように、各種実施例では、コンテクストは他の方法ではターゲットｅＮＢ１５０に提供されてもよい。
【００２２】
２０６において、ＨＯコマンドの受信後、ソースｅＮＢ１００は、それの無線接続１０１を介しＵＥ１０５にＨＯコマンドを送信する。ＨＯコマンドは、ＨＯ要求のＡＣＫにターゲットｅＮＢ１５０から受信したモビリティ情報を含むものであってもよい。一部の実施例では、当該ＨＯコマンドは、例えば、接続が不調であるか、又は不調であった場合、無線接続１０１を介し受信されないかもしれないことが認識されうる。従って、後述されるように、異なる手順が、ＨＯコマンドが受信されるか否かに基づき行われてもよい。
【００２３】
ＨＯコマンドを送信した後、２０７において、ソースｅＮＢ１００は、任意的には、ＵＥ１０５のＵＥコンテクストを送信してもよい。
【００２４】
２０８において、ＵＥ１０５は、ターゲットｅＮＢ１５０とのＲＡＣＨ手順を開始する。各種実施例では、ＨＯコマンドの受信が、ソースｅＮＢ１００がターゲットｅＮＢ１５０にＨＯ要求を送信し、応答してＨＯ要求のＡＣＫを受信したことを示すため、ＲＡＣＨ手順は、ＨＯコマンドがＵＥ１０５により受信されたか否かに応じて、コンテンションベース又は非コンテンションベースであってもよい。従って、ＨＯコマンドがＵＥ１０５により受信された場合、ＵＥ１０５は、２０８において、非コンテンションベースＲＡＣＨを開始する。各種実施例では、ソースｅＮＢ１００がＡＨＧにハンドオーバタイマ値を含める場合、ＵＥ１０５はまた、ＵＥ１０５がＨＯコマンドを待機するタイマ値に基づきタイマを設定するよう構成される。ＨＯコマンドがタイマの完了前に受信された場合、ＵＥ１０５は、非コンテンションベースＲＡＣＨを開始する。当該時点でコマンドが受信されない場合、ＵＥ１０５は、コンテンションベースＲＡＣＨを開始する。各種実施例では、ＵＥ１０５は、ソースｅＮＢ１００の識別子を有してもよい。各種実施例では、ＵＥ１０５はまた、以降のコンテクストフェッチ要求の実行前にターゲットｅＮＢ１５０による利用のため、ハンドオーバの許可（ターゲットｅＮＢ１５０へのＡＨＧの一部としてソースｅＮＢ１００から受信される）を有してもよい。従って、２０９において、ターゲットｅＮＢ１５０は、任意的には、コンテクストフェッチ要求の実行前に、ＵＥ１０５から受信される許可を検証する。当該許可が検証された場合、ターゲットｅＮＢ１５０は、コンテクストフェッチ要求を実行する。
【００２５】
２１０ａにおいて、又は２１０ｂにおいて、ターゲットｅＮＢ１５０は、任意的には、それぞれソースｅＮＢ１００又はアンカー１９０にコンテクストフェッチ要求を送信する。一部の実施例では、ＵＥ１０５が２０８におけるＲＡＣＨ手順中にターゲットｅＮＢ１５０にソースｅＮＢ１００の情報を提供する場合、ターゲットｅＮＢ１５０は、２０８において通知されるコンテクストフェッチ要求をソースｅＮＢ１００に送信する。他の実施例では、アンカーノードは、モビリティを向上させるためネットワークに配置されてもよい。このような実施例では、ＵＥコンテクストはアンカーノード１９０に記憶され、２０９ｂにおいて、ターゲットｅＮＢ１５０は、アンカーノード１９０にコンテクストフェッチ要求を送信する。各種実施例では、ターゲットｅＮＢ１５０は、ソースｅＮＢ１００によりコンテクストが以前に送信されていない場合、当該要求をソースｅＮＢ１００又はアンカー１９０に送信する。他の実施例では、ＵＥ１０５は、ＨＯコマンドを受信せず、ＡＨＧにおいて提供される利用可能なｅＮＢのリストから利用可能なｅＮＢを選択する。ソースｅＮＢ１００が、（２０４において）以前にＨＯ要求を送信したターゲットｅＮＢと異なるターゲットｅＮＢを選択した場合、選択されたターゲットｅＮＢ１５０は、ＵＥ１０５のコンテクストを有さず、ＵＥコンテクストを要求する必要がある。
【００２６】
コンテクストフェッチ要求の受信後、２１１ａ又は２１１ｂにおいて、ソースｅＮＢ１００又はアンカー１９０はそれぞれ、ＵＥ１０５に対するハンドオーバ決定が行われたか確認する。各種実施例では、ソースｅＮＢ１００又はアンカー１９０は、ＵＥ１０５にＡＨＧが提供されたか判断し、提供された場合、ＡＨＧが利用可能なｅＮＢとしてアンカー１９０を含むか判断してもよい。含む場合、２１１ａ又は２１２ｂにおいて、ソースｅＮＢ１００又はアンカー１９０はそれぞれ、ターゲットｅＮＢ１５０にＵＥ１０５のコンテクストを送信する。各種実施例では、許可がターゲットｅＮＢ１５０により検証された場合、ソースｅＮＢ１００又はアンカー１９０は、ハンドオーバ決定の別々の確認を実行しなくてもよい。
【００２７】
２１２において、ＲＡＣＨ又はＵＥコンテクストのフェッチの後、ターゲットｅＮＢ１５０は、ハンドオーバを実行するため、アップリンク割当て及びタイミングアドバンス情報をＵＥ１０５に提供する。２１３において、ハンドオーバが完了する。
【００２８】
図３は、各種実施例による第２のネットワークにより提供される自律的ハンドオーバ手順を示す。図３の一例となる手順では、ＡＨＧは、ＵＥ１０５からのメジャメントレポートの受信後に送信される。ソースｅＮＢ１００は、メジャメントレポート及び別のハンドオーバ決定を要求することなく、ＵＥ１０５がハンドオーバを実行することを許可する。
【００２９】
３０１において、ソースｅＮＢ１００は、ＨＯＣＣ１００などによるハンドオーバ許可決定を行ってもよい。各種実施例では、ＵＥ１０５による別々のメジャメントレポート及びソースｅＮＢ１００によるハンドオーバ決定がない場合でさえ、ハンドオーバが実行されるべきであるとＵＥ１０５が判断した場合、ソースｅＮＢ１００は、ＵＥ１０５がハンドオーバを実行することを決定する。
【００３０】
３０２において、ソースｅＮＢ１００は、ハンドオーバ許可決定を行ったことに応答して、ＵＥ１０５にＡＨＧを送信する。上述したように、各種実施例では、ＡＨＧは、接続１０１の自律的ハンドオーバを実現するため、ターゲットｅＮＢ１５０により提供されるターゲットセルに対応する１つ以上のパラメータを含む。例えば、ＡＨＧは、ターゲットｅＮＢ１５０の識別情報と利用可能なｅＮＢのリスト（ターゲットｅＮＢを含んでもよい）とを含んでもよい。ＡＨＧはまた、ＵＥ１０５がハンドオーバを実行することが許可されていることを示すソースｅＮＢ１００からの許可を含んでもよい。当該許可は、フェッチコンテクスト要求を実行するか否か判断するため、ターゲットｅＮＢ１５０によって以降に利用されてもよい。
【００３１】
３０３において、ＵＥ１０５は、現在の接続の測定などに応答して、ハンドオーバを実行することを決定する。これに応答して、３０４において、ＵＥ１０５は、ターゲットｅＮＢとのコンテンションベースＲＡＣＨ手順を開始する。各種実施例では、ＵＥ１０５は、ソースｅＮＢ１００の識別子を有してもよい。各種実施例では、ＵＥ１０５はまた、以降のコンテクストフェッチ要求の実行前に、ターゲットｅＮＢ１５０による利用のためにハンドオーバの許可（ターゲットｅＮＢ１０５へのＡＨＧの一部としてソースｅＮＢ１００から受信される）を有してもよい。従って、３０５において、ターゲットｅＮＢ１５０は、任意的には、コンテクストフェッチ要求の実行前にＵＥ１０５から受信した許可を検証する。当該許可が検証される場合、ターゲットｅＮＢ１５０は、コンテクストフェッチ要求を実行する。
【００３２】
３０６ａにおいて、又は３０６ｂにおいて、ターゲットｅＮＢ１５０はそれぞれソースｅＮＢ１００又はアンカー１９０にコンテクストフェッチ要求を送信する。一部の実施例では、ＵＥ１０５が３０４におけるＲＡＣＨ手順中にターゲットｅＮＢ１５０にソースｅＮＢ１００の情報を提供する場合、ターゲットｅＮＢ１５０は、３０４において通知されるコンテクストフェッチ要求をソースｅＮＢ１００に送信する。他の実施例では、アンカーノードはモビリティを向上させるためネットワークに配置される。このような実施例では、ＵＥコンテクストは、アンカーノード１９０に記憶され、３０６ｂにおいて、ターゲットｅＮＢ１５０は、アンカーノード１９０にコンテクストフェッチ要求を送信する。各種実施例では、ターゲットｅＮＢ１５０は、ソースｅＮＢ１００により以前にコンテクストが送信されていない場合、当該要求をソースｅＮＢ１００又はアンカー１９０に送信する。
【００３３】
コンテクストフェッチ要求の受信後、３０７ａ又は３０７ｂにおいて、ソースｅＮＢ１００又はアンカー１９０はそれぞれ、ハンドオーバ決定がＵＥ１０５に対してなされたか確認する。各種実施例では、ソースｅＮＢ１００又はアンカー１９０は、ＵＥ１０５にＡＨＧが提供されたか判断し、提供された場合、ＡＨＧが利用可能なｅＮＢとしてターゲットｅＮＢ１５０を含んでいるか判断する。含んでいる場合、３０８ａ又は３０８ｂにおいて、ソースｅＮＢ１００又はアンカー１９０はそれぞれ、ＵＥ１０５のコンテクストをターゲットｅＮＢ１５０に送信する。各種実施例では、許可がターゲットｅＮＢ１５０により検証された場合、ソースｅＮＢ１００又はアンカー１９０は、ハンドオーバ決定の別の確認を実行しなくてもよい。
【００３４】
３０９において、ＵＥコンテクストのフェッチ後、ターゲットｅＮＢ１５０は、ハンドオーバを容易にするため、ＵＥ１０５にアップリンク割当て及びタイミングアドバンス情報を提供する。３１０において、ハンドオーバは完了する。
【００３５】
図４は、各種実施例によるソースｅＮＢの動作処理４００を示すフローチャートである。処理４００は、説明される処理を実行するよう設計、プログラム及び／又は設定される回路を有する、ソースｅＮＢ１００などのソースｅＮＢによって実行される。特に、説明される処理は、ソースｅＮＢ１００のＨＯＣＣ１１０及びＲＦＣＣ１２０により実行される。
【００３６】
当該処理は、ソースｅＮＢが任意的にＵＥ１０５からメジャメントレポートを受信する処理４１０において開始される。メジャメントレポートは、ＵＥ１０５とソースｅＮＢ１００との間の無線接続１０１に関する情報を有してもよい。処理４２０において、ソースｅＮＢ１００は、接続のハンドオーバが実行されるべきであることを決定する。各種実施例では、処理４２０において、ソースｅＮＢ１００は、ハンドオーバが上述されるようにメジャメントレポートを受信せずに実行されることを決定する。
【００３７】
処理４３０において、ソースｅＮＢ１００は、ＡＨＧを生成し、無線接続１００を介しＵＥ１０５に送信する。各種実施例では、上述されたように、ＡＨＧは特定のターゲットｅＮＢ１５０を示し、及び／又はＵＥ１０５が新たな接続を確立する１つ以上の利用可能なｅＮＢを示すリストを有する。ＡＨＧはまた、ＵＥ１０５がＨＯコマンドの受信を待機するタイマ長を示すハンドオーバタイマ値を含む。ＡＨＧはまた、任意的には、コンテクストフェッチ要求の前にターゲットｅＮＢ１５０により検証されるハンドオーバの許可を含む。
【００３８】
処理４４０において、ソースｅＮＢは、ＨＯ要求を生成し、ターゲットｅＮＢ１５０に送信する。上述されたように、各種実施例では、当該ＨＯ要求はＵＥ１０５のコンテクストを含む。処理４５０において、ソースｅＮＢ１００は、ターゲットｅＮＢ１５０からＨＯコマンドのＡＣＫを受信する。当該ＡＣＫは、ターゲットｅＮＢ１５０に関連するモビリティ情報を含む。各種実施例では、ＨＯ要求の送信とＡＣＫの受信とは、ＲＦＣＣ１２０でなくソースｅＮＢ１００とターゲットｅＮＢ１５０とを接続する有線ネットワークを介し実行される。当該処理は、その後に図４に示される処理に継続する。
【００３９】
図５は、各種実施例によるソースｅＮＢの更なる動作処理５００を示すフローチャートである。処理５００は、図１の処理４４０から継続する。処理５００は、説明される処理を実行するよう設計、プログラム及び／又は構成される回路を有するソースｅＮＢ１００などのソースｅＮＢによって実行される。特に、説明される処理は、ＨＯＣＣ１１０及びＲＦＣＣ１２０によって実行される。
【００４０】
当該処理は、処理４４０からソースｅＮＢ１００がＨＯコマンドを生成し、ＵＥ１０５に送信する処理５１０において継続する。各種実施例では、ＨＯコマンドはターゲットｅＮＢ１５０に関するモビリティ情報を有してもよい。各種実施例は、ＨＯコマンドがソースｅＮＢ１００により送信されるが、ＨＯコマンドはＵＥ１０５により受信されてもよいし、あるいは受信されなくてもよい。
【００４１】
処理５００は、ソースｅＮＢ１００がＵＥコンテクストを送信するか否かに応じて異なって進捗する。従って、１つのオプションでは、処理５３０において、ソースｅＮＢ１００は、コンテクストが以前に送信されなかった場合など、ＵＥ１０５のＵＥコンテクストをターゲットｅＮＢに送信する。各種実施例では、ソースｅＮＢ１００は、ＨＯ要求の一部として又は処理５３０においてターゲットｅＮＢ１５０にコンテクストを送信しない。従って、コンテクストが処理５３０において送信されないとき、処理５４０において、ソースｅＮＢ１００は、ターゲットｅＮＢ１００からコンテクストフェッチ要求を受信する。それから、処理５５０において、ソースｅＮＢ１００は、ＵＥ１０５のコンテクストをターゲットｅＮＢに送信する。各種実施例では、コンテクストの送信及び／又はフェッチは、ＲＦＣＣ１２０でなくソースｅＮＢ１００とターゲットｅＮＢ１５０とを接続する有線ネットワークを介し実行されてもよい。当該処理はその後に終了する。
【００４２】
図６は、各種実施例によるＵＥの動作処理を示すフローチャートである。処理６００は、説明された処理を実行するよう設計、プログラム及び／又は構成される回路を有するＵＥ１０５などのＵＥにより実行される。特に、説明される処理は、ＵＥ１０５のＨＯＣＣ及びＲＦＣＣにより実行される。当該処理は、ＵＥ１０５がメジャメントレポートを生成し、当該レポートをソースｅＮＢ１００に送信する処理６１０において開始される。上述されるように、各種実施例では、メジャメントレポートは、報告イベントのトリガに応答して、又は報告タイマの満了に応答して生成されてもよい。メジャメントレポートは、ＵＥ１０５とソースｅＮＢ１００との間の無線接続１０１に関する情報を含む。
【００４３】
処理６２０において、ＵＥ１０５は、ソースｅＮＢ１００からＡＨＧを受信する。例えば、ＡＨＧは、ＵＥ１０５の接続がターゲットｅＮＢにハンドオーバされるべきであるという判断に応答して受信されてもよい。次に、処理６３０において、ＡＨＧがハンドオーバタイマ値を含む場合、ＵＥ１０５は、ハンドオーバタイマ値に基づきタイマを開始する。他の処理では、ＡＨＧはハンドオーバタイマ値を含まなくてもよい。当該実施例では、ＵＥ１０５は、ハンドオーバ時間の所定のタイマ値を利用するか、又はハンドオーバタイマを利用しなくてもよい。
【００４４】
判定処理６３５において、ＵＥ１０５は、ＨＯコマンドがハンドオーバタイマの終了前に受信されたかに応じて異なる処理を実行する。タイマ終了前にＨＯコマンドが受信されなかった場合、処理６４０において、ＵＥ１０５は、ＡＨＧに含まれる利用可能なｅＮＢのリストからターゲットｅＮＢ１５０を選択する。１つのｅＮＢしか提供されない場合、当該ｅＮＢが選択される。次に、処理６５０において、ＵＥ１０５は、選択されたターゲットｅＮＢ１５０に対してコンテンションベースＲＡＣＨを実行する。次に、処理６６０において、ＵＥ１０５はハンドオーバを完了させ、当該処理は終了する。
【００４５】
しかしながら、タイマの終了前にＨＯコマンドが受信される場合、又はタイマが使用されないときにＨＯコマンドが受信されると、処理６７０において、ＵＥ１０５は、ＡＨＧに示されたターゲットｅＮＢ１５０を選択する。次に、処理６８０において、ＵＥ１０５は、選択されたターゲットｅＮＢ１５０に対して非コンテンションベースＲＡＣＨを実行する。次に、処理６６０において、ＵＥ１０５はハンドオーバを完了させ、当該処理が終了する。
【００４６】
図７は、各種実施例によるＵＥの他の動作処理を示す第２のフローチャートである。処理７００は、説明された処理を実行するよう設計、プログラム及び／又は構成される回路を有するＵＥ１０５などのＵＥにより実行される。特に、説明される処理は、ＵＥ１０５のＨＯＣＣ及びＲＦＣＣにより実行される。各種実施例では、図７の処理は、ＵＥ１０５がソースｅＮＢ１００にメジャメントレポートを送信し、ソースｅＮＢ１００によるハンドオーバ決定なしにハンドオーバを実行することを決定したときに実行される。
【００４７】
当該処理は、ＵＥ１０５がソースｅＮＢ１００からＡＨＧを受信する処理７１０において開始される。次に、処理７２０において、ＵＥ１０５は、ＵＥ１０５が無線リンク故障（ＲＬＦ）状態に有るときなど、ハンドオーバを実行することを決定する。
【００４８】
処理７３０において、ＵＥ１０５は、例えば、ＡＨＧにおいて指定されるターゲットｅＮＢ１５０から、及び／又はＡＨＧに含まれる利用可能なｅＮＢのリストからターゲットｅＮＢ１５０を選択する。１つのｅＮＢしか提供されない場合、当該ｅＮＢが選択される。次に、処理７４０において、ＵＥ１０５は、選択されたターゲットｅＮＢ１５０に対してコンテンションベースＲＡＣＨを実行する。次に、処理７５０において、ＵＥ１０５はハンドオーバを完了させ、当該処理は終了する。図８は、各種実施例によるターゲットｅＮＢの動作処理８００を示すフローチャートである。処理８００は、説明された処理を実行するよう設計、プログラム及び／又は構成される回路を有するターゲットｅＮＢ１５０などのターゲットｅＮＢにより実行される。特に、説明される処理は、ターゲットｅＮＢ１５０のＨＯＣＣ１６０及びＲＦＣＣ１７０により実行される。
【００４９】
当該処理は、ターゲットｅＮＢ１５０がソースｅＮＢ１００からＨＯ要求を受信する処理８１０において開始される。一部の実施例では、ＨＯ要求はＵＥ１０５のコンテクストを有する。これに応答して、処理８２０において、ターゲットｅＮＢ１５０は、ハンドオーバ要求のＡＣＫを生成し、これをソースｅＮＢ１００に送信する。
【００５０】
処理８００は、ソースｅＮＢ１００がＵＥコンテクストを送信するか否かに応じて異なって進捗する。従って、１つのオプションでは、処理８３０において、ターゲットｅＮＢ１５０は、ソースｅＮＢ１００からＵＥコンテクストを受信する。しかしながら、ＵＥコンテクストが送信されなかった場合、処理８４０において、ターゲットｅＮＢ１５０は、任意的には、ＵＥ１０５から受信された許可を検証する。ターゲットｅＮＢ１５０が当該許可を検証した場合、処理８５０において、ターゲットｅＮＢは、ソースｅＮＢ１００又はアンカー１９０からコンテクストをフェッチする。当該フェッチは、ソースｅＮＢ１００又はアンカー１９０にコンテクストフェッチ要求を送信することによって実行される。各種実施例では、ソースｅＮＢ１００とターゲットｅＮＢ１５０との間で実行される各種通信は、ＲＦＣＣ１７０でなくソースｅＮＢ１００とターゲットｅＮＢ１５０とを接続する有線ネットワークを介し実行される。ＵＥコンテクストがどのように取得されるかに関わらず、処理８５０において、ターゲットｅＮＢ１５０はＵＥ１０５とのＲＡＣＨ手順を実行し、処理８６０においてハンドオーバを完了させる。その後、当該処理は終了する。
【００５１】
ここに説明されるコンポーネントは、所望されるように構成された何れか適切なハードウェア、ファームウェア及び／又はソフトウェアを利用してシステムに実現されてもよい。図９は、一実施例について、図示されるように少なくとも互いに結合される制御回路９０８及びインタフェース回路９１２を含む通信回路９０４、アプリケーション回路９１６、ディスプレイ９２０、カメラ９２４、センサ９２８及び入出力（Ｉ／Ｏ）インタフェース９３２を有する一例となるシステム９００を示す。
【００５２】
アプリケーション回路９０８は、システム９００上で実行される各種アプリケーション及び／又はオペレーティングシステムを可能にする回路を有する。
【００５３】
通信回路９０４の制御回路９０８は、ここに説明されるコンテンツにより各種メッセージを生成し、適切な通信インタフェースを介しメッセージを送信するようインタフェース回路９１２を制御する。制御回路９０８は、特にここに説明されるハンドオーバ処理を制御する。
【００５４】
インタフェース回路９１２は、適切な通信プロトコルによって１つ以上のリモートエンティティと通信するのに適した回路を有する。例えば、インタフェース回路９１２は、ＥＵＴＲＡＮプロトコルなどのセルラＲＡＮプロトコルを利用して通信するよう設計される回路を有してもよい。
【００５５】
一部の実施例では、インタフェース回路９１２は、有線通信リンク／ネットワークを介し他のコンポーネントと通信するよう設計される回路を有する。例えば、システム９００がｅＮＢを含む実施例では、インタフェース回路９１２は、イーサネット（登録商標）プロトコルを用いて通信するよう設計される回路を有してもよい。
【００５６】
一部の実施例では、通信回路９０４の構成要素の一部又は全ては、システム・オン・チップ（ＳＯＣ）上で一緒に実現される。他の実施例では、通信回路９０４の構成要素の１つ以上は個別のハードウェアにより実現される。例えば、一部の実施例では、インタフェース回路９１２は、ＥＵＴＲＡＮプロトコルを用いて通信するためのセルラ無線機を有する。
【００５７】
各種実施例では、Ｉ／Ｏインタフェース９３２は、システム９００とのユーザインタラクションを可能にするよう設計される１つ以上のユーザインタフェース（特に、システム９００がＵＥを表すとき）及び／又はシステム９００との周辺コンポーネントのインタラクションを可能にするよう設計される周辺コンポーネントインタフェースを有する。ユーザインタフェースは、限定することなく、物理的キーボード又はキーパッド、タッチパッド、スピーカ、マイクロフォンなどを含む。周辺コンポーネントインタフェースは、限定することなく、不揮発性メモリポート、ＵＳＢ（Ｕｎｉｖｅｒｓａｌ  Ｓｅｒｉａｌ  Ｂｕｓ）ポート、オーディオジャック及び電源インタフェースを含む。
【００５８】
各種実施例では、センサ９２８は、システム２００に関連する環境状態及び／又は位置情報を決定するための１つ以上の検知デバイスを有する。一部の実施例では、センサは、限定することなく、ジャイロセンサ、加速度計、近接センサ、周辺光センサ及び測位ユニットを有する。測位ユニットはまた、ＧＰＳ（Ｇｌｏｂａｌ  Ｐｏｓｉｔｉｏｎｉｎｇ  Ｓｙｓｔｅｍ）衛星などの測位ネットワークのコンポーネントと通信するための通信回路９０４の一部であってもよいし、又はやりとりしてもよい。
【００５９】
各種実施例では、ディスプレイ９２０は、ディスプレイ（例えば、液晶ディスプレイ、タッチ画面ディスプレイなど）を有する。
【００６０】
各種実施例では、システム９００は、例えば、ラップトップ計算装置、タブレット計算装置、ネットブック、ウルトラブック、スマートフォンなどのＵＥである。各種実施例では、システム９００はｅＮＢである。各種実施例では、システム９００は、より多く又はより少ないコンポーネント及び／又は異なるアーキテクチャを有する。
【００６１】
以下のパラグラフは、各種実施例の具体例を説明する。
【００６２】
具体例１は、ソース進化型ノードＢ（ｅＮＢ）において実現される装置を有する。当該装置は、ハンドオーバ制御回路を有する。ハンドオーバ制御回路は、ユーザ装置（ＵＥ）の接続がターゲットｅＮＢにハンドオーバされることが許可されていると判断し、接続の自律的ハンドオーバを実行するためにターゲットｅＮＢにより提供されるターゲットセルに対応する１つ以上のパラメータを含む自律的ハンドオーバ許可を生成し、ターゲットｅＮＢへのＵＥのコンテクストの提供を実行する。当該装置は、ＵＥに自律的ハンドオーバ許可を送信するよう無線周波数（ＲＦ）回路を制御するＲＦ制御回路を有する。
【００６３】
具体例２は、具体例１の装置を有し、１つ以上のパラメータは、ターゲットｅＮＢの識別情報を有する。
【００６４】
具体例３は、具体例１の装置を有し、１つ以上のパラメータは、ターゲットｅＮＢのシステム情報ブロック（ＳＩＢ）情報を有する。
【００６５】
具体例４は、具体例１の装置を有し、１つ以上のパラメータは、ターゲットｅＮＢがＵＥのコンテクストを取得するための許可を有する。
【００６６】
具体例５は、具体例１の装置を有し、１つ以上のパラメータは、ＵＥがハンドオーバコマンドを受信することなくハンドオーバに以降に進むことが可能な期間を規定するためのハンドオーバタイマ値を有する。
【００６７】
具体例６は、具体例１〜５の何れかの装置を有し、ハンドオーバ制御回路は、ターゲットｅＮＢへのコンテクストの送信を介しターゲットｅＮＢへのＵＥのコンテクストの提供を実行する。
【００６８】
具体例７は、具体例６の装置を有し、ハンドオーバ制御回路は、ターゲットｅＮＢからの要求の受信に応答して、コンテクストをターゲットｅＮＢに送信させる。
【００６９】
具体例８は、具体例１〜５の何れかの装置を有し、ハンドオーバ制御回路は、ＵＥのコンテクストをターゲットｅＮＢに送信するアンカーノードへのコンテクストの送信を介しターゲットｅＮＢへのＵＥのコンテクストの提供を実行する。
【００７０】
具体例９は、具体例１〜５の何れかの装置を有し、ハンドオーバ制御回路は更に、ハンドオーバコマンドを生成し、ＲＦ制御回路は、ＵＥにハンドオーバコマンドを送信するようＲＦ回路を制御する。
【００７１】
具体例１０は、具体例１〜５の何れかの装置を有し、ハンドオーバ制御回路は更に、ハンドオーバ要求をターゲットｅＮＢに送信させ、ターゲットｅＮＢへのハンドオーバ要求の送信に応答して、ターゲットｅＮＢからのアクノリッジメントを処理し、アクノリッジメントに基づきハンドオーバコマンドを生成する。
【００７２】
具体例１１は、具体例１〜５の何れかの装置を有し、ハンドオーバ制御回路は更に、ＵＥとソースｅＮＢとの間の接続に関する情報を含むメジャメントレポートを受信し、メジャメントレポートにおける情報に少なくとも部分的に基づき、接続がハンドオーバされるべきであると判断する。
【００７３】
具体例１２は、ユーザ装置（ＵＥ）において実現される装置を有する。当該装置は、ターゲット進化型ノードＢ（ｅＮＢ）により提供されるターゲットセルに対応する１つ以上のパラメータを有するソースｅＮＢから送信される自律的ハンドオーバ許可を処理し、ＵＥのコンテクストを受信するターゲットｅＮＢを特定し、ターゲットｅＮＢに接続するハンドオーバ制御回路を有する。当該装置は、ソースｅＮＢから自律的ハンドオーバ許可を受信するよう無線周波数（ＲＦ）回路を制御するＲＦ制御回路を有する。
【００７４】
具体例１３は、具体例１２の装置を有し、ハンドオーバ制御回路は更に、ＵＥが現在の接続を有するソースｅＮＢに送信されるメジャメントレポートを生成するよう構成される。
【００７５】
具体例１４は、具体例１２の装置を有し、１つ以上のパラメータは、ターゲットｅＮＢの識別情報を有する。
【００７６】
具体例１５は、具体例１２〜１４の何れかの装置を有し、ＲＦ制御回路は更に、ソースｅＮＢから送信されるハンドオーバコマンドを受信し、ハンドオーバ制御回路は更に、ソースｅＮＢから送信されるハンドオーバコマンドを処理する。
【００７７】
具体例１６は、具体例１５の装置を有し、ハンドオーバ制御回路は更に、ＲＦ制御回路がハンドオーバコマンドを受信したことに応答して、コンテンションフリーランダムアクセスチャネル手順（ＲＡＣＨ）を実行する。
【００７８】
具体例１７は、具体例１５の装置を有し、ハンドオーバ制御回路は更に、ＲＦ制御回路がハンドオーバコマンドを受信しないことに応答して、コンテンションベースランダムアクセスチャネル手順（ＲＡＣＨ）を実行する。
【００７９】
具体例１８は、具体例１２〜１４の何れかの装置を有し、ハンドオーバ制御回路は更に、自律的ハンドオーバ許可に含まれるハンドオーバタイマ値を処理し、ハンドオーバ制御回路は更に、ハンドオーバタイマ値に基づきタイマの実行中にハンドオーバコマンドの受信を待機する。
【００８０】
具体例１９は、具体例１８の装置を有し、ハンドオーバ制御回路は更に、ハンドオーバタイマが満了し、ＵＥによるハンドオーバコマンドの受信がないとき、１つ以上の利用可能なｅＮＢからターゲットｅＮＢを特定する。
【００８１】
具体例２０は、具体例１９の装置を有し、自律的ハンドオーバ許可の１つ以上のパラメータは、１つ以上の利用可能なｅＮＢの識別情報を有する。
【００８２】
具体例２１は、具体例１２〜１４の何れかの装置を有し、自律的ハンドオーバ許可の１つ以上のパラメータは、ターゲットセルの１つ以上のシステム情報ブロックの識別情報を有する。
【００８３】
具体例２２は、ターゲット進化型ノードＢ（ｅＮＢ）において実現される装置を有する。当該装置は、ソースｅＮＢに現在接続されるユーザ装置（ＵＥ）からの接続をハンドオーバするためのハンドオーバ要求を処理し、ＵＥの受信されたコンテクストを処理し、ＵＥに接続を実行させるハンドオーバ制御回路を有する。当該装置はまた、接続とコンテクストとをハンドオーバするための要求を受信するよう無線周波数（ＲＦ）回路を制御するＲＦ制御回路を有する。
【００８４】
具体例２３は、具体例２２の装置を有し、ハンドオーバ制御回路は更に、ハンドオーバ要求のアクノリッジメントを生成する。
【００８５】
具体例２４は、具体例２２の装置を有し、ハンドオーバ制御回路は更に、ソースｅＮＢからのコンテクストに対するコンテクストフェッチ要求を生成する。
【００８６】
具体例２５は、具体例２２の装置を有し、ハンドオーバ制御回路は更に、スモールセルアンカーからのコンテクストに対するコンテクストフェッチ要求を生成する。
【００８７】
具体例２６は、具体例２５の装置を有し、ハンドオーバ制御回路は更に、コンテクストフェッチ要求の生成前にＵＥから受信されたハンドオーバの許可を検証する。
【００８８】
具体例２７は、具体例２２〜２５の何れかの装置を有し、ハンドオーバ制御回路は、ハンドオーバ要求に関連してソースｅＮＢからコンテクストを受信する。
【００８９】
具体例２８は、ソース進化型ノードＢ（ｅＮＢ）における動作方法を有する。当該方法は、ユーザ装置（ＵＥ）の接続がターゲットｅＮＢにハンドオーバされることが許可されていると判断し、接続の自律的ハンドオーバを実行するためにターゲットｅＮＢにより提供されるターゲットセルに対応する１つ以上のパラメータを含む自律的ハンドオーバ許可を生成し、ＵＥに自律的ハンドオーバ許可を送信し、ターゲットｅＮＢへのＵＥのコンテクストの提供を実行する。
【００９０】
具体例２９は、具体例２８の方法を有し、１つ以上のパラメータは、ターゲットｅＮＢの識別情報を有する。
【００９１】
具体例３０は、具体例２８の方法を有し、１つ以上のパラメータは、ターゲットｅＮＢのシステム情報ブロック（ＳＩＢ）情報を有する。
【００９２】
具体例３１は、具体例２８の方法を有し、１つ以上のパラメータは、ターゲットｅＮＢがＵＥのコンテクストを取得するための許可を有する。
【００９３】
具体例３２は、具体例２８の方法を有し、１つ以上のパラメータは、ＵＥがハンドオーバコマンドを受信することなくハンドオーバに以降に進むことが可能な期間を規定するためのハンドオーバタイマ値を有する。
【００９４】
具体例３３は、具体例２８〜３２の何れかの方法を有し、ターゲットｅＮＢへのＵＥのコンテクストの提供の実行は、ターゲットｅＮＢへのコンテクストの送信を有する。
【００９５】
具体例３４は、具体例３３の方法を有し、ターゲットｅＮＢへのコンテクストの送信は、ターゲットｅＮＢからの要求の受信に応答して、コンテクストをターゲットｅＮＢに送信することを有する。
【００９６】
具体例３５は、具体例２８〜３２の何れかの方法を有し、ターゲットｅＮＢへのＵＥのコンテクストの提供を実行は、ＵＥのコンテクストをターゲットｅＮＢに送信するアンカーノードへのコンテクストの送信を有する。
【００９７】
具体例３６は、具体例２８〜３２の何れかの方法を有し、ハンドオーバコマンドを生成し、ＵＥにハンドオーバコマンドを送信することを更に有する。
【００９８】
具体例３７は、具体例２８〜３２の何れかの方法を有し、ハンドオーバ要求をターゲットｅＮＢに送信し、ターゲットｅＮＢへのハンドオーバ要求の送信に応答して、ターゲットｅＮＢからのアクノリッジメントを処理し、アクノリッジメントに基づきハンドオーバコマンドを生成することを更に有する。
【００９９】
具体例３８は、具体例２８〜３２の何れかの方法を有し、ＵＥとソースｅＮＢとの間の接続に関する情報を含むメジャメントレポートを受信し、メジャメントレポートにおける情報に少なくとも部分的に基づき、接続がハンドオーバされるべきであると判断することを更に有する。
【０１００】
具体例３９は、ユーザ装置（ＵＥ）における動作方法を有する。当該方法は、ターゲット進化型ノードＢ（ｅＮＢ）により提供されるターゲットセルに対応する１つ以上のパラメータを有する自律的ハンドオーバ許可をソースｅＮＢから受信し、ソースｅＮＢから送信される自律的ハンドオーバ許可を処理し、ＵＥのコンテクストを受信するターゲットｅＮＢを特定し、ターゲットｅＮＢに接続することを有する。
【０１０１】
具体例４０は、具体例３９の方法を有し、ＵＥが現在の接続を有するソースｅＮＢに送信されるメジャメントレポートを生成することを更に有する。
【０１０２】
具体例４１は、具体例３９の方法を有し、１つ以上のパラメータは、ターゲットｅＮＢの識別情報を有する。
【０１０３】
具体例４２は、具体例３９〜４１の何れかの方法を有し、ソースｅＮＢから送信されるハンドオーバコマンドを受信し、ソースｅＮＢから送信されるハンドオーバコマンドを処理することを有する。
【０１０４】
具体例４３は、具体例４２の方法を有し、ＲＦ制御回路がハンドオーバコマンドを受信したことに応答して、コンテンションフリーランダムアクセスチャネル手順（ＲＡＣＨ）を実行することを有する。
【０１０５】
具体例４４は、具体例４２の方法を有し、ＲＦ制御回路がハンドオーバコマンドを受信しないことに応答して、コンテンションベースランダムアクセスチャネル手順（ＲＡＣＨ）を実行することを有する。
【０１０６】
具体例４５は、具体例３９〜４１の何れかの方法を有し、自律的ハンドオーバ許可に含まれるハンドオーバタイマ値を処理し、ハンドオーバタイマ値に基づきタイマの実行中にハンドオーバコマンドの受信を待機することを有する。
【０１０７】
具体例４６は、具体例４５の方法を有し、ハンドオーバタイマが満了し、ＵＥによるハンドオーバコマンドの受信がないとき、１つ以上の利用可能なｅＮＢからターゲットｅＮＢを特定することを有する。
【０１０８】
具体例４７は、具体例４６の方法を有し、自律的ハンドオーバ許可の１つ以上のパラメータは、１つ以上の利用可能なｅＮＢの識別情報を有する。
【０１０９】
具体例４８は、具体例３９〜４１の何れかの方法を有し、自律的ハンドオーバ許可の１つ以上のパラメータは、ターゲットセルの１つ以上のシステム情報ブロックの識別情報を有する。
【０１１０】
具体例４９は、ターゲット進化型ノードＢ（ｅＮＢ）における動作方法を有する。当該方法は、ソースｅＮＢに現在接続されるユーザ装置（ＵＥ）からの接続をハンドオーバするためのハンドオーバ要求とＵＥのコンテクストとを受信し、ハンドオーバ要求を処理し、ＵＥのコンテクストを処理し、ＵＥに接続を実行させることを有する。
【０１１１】
具体例５０は、具体例４９の方法を有し、ハンドオーバ要求のアクノリッジメントを生成することを更に有する。
【０１１２】
具体例５１は、具体例４９の方法を有し、ソースｅＮＢからのコンテクストに対するコンテクストフェッチ要求を生成することを更に有する。
【０１１３】
具体例５２は、具体例４９の方法を有し、スモールセルアンカーからのコンテクストに対するコンテクストフェッチ要求を生成することを更に有する。
【０１１４】
具体例５３は、具体例５２の方法を有し、コンテクストフェッチ要求の生成前にＵＥから受信されたハンドオーバの許可を検証することを更に有する。
【０１１５】
具体例５４は、具体例４９〜５２の何れかの方法を有し、ソースｅＮＢからのコンテクストの受信は、ハンドオーバ要求に関連してソースｅＮＢからコンテクストを受信することを有する。
【０１１６】
具体例５５は、ソース進化型ノードＢ（ｅＮＢ）上での実行に応答して、計算装置又はシステムに具体例２８〜３８の何れかの方法を実行させる書き込まれた命令を含む１つ以上のコンピュータ可読媒体を有する。
【０１１７】
具体例５６は、ユーザ装置（ＵＥ）上での実行に応答して、計算装置又はシステムに具体例３９〜４８の何れかの方法を実行させる書き込まれた命令を含む１つ以上のコンピュータ可読媒体を有する。
【０１１８】
具体例５７は、ターゲット進化型ノードＢ（ｅＮＢ）上での実行に応答して、計算装置又はシステムに具体例４９〜５４の何れかの方法を実行させる書き込まれた命令を含む１つ以上のコンピュータ可読媒体を有する。
【０１１９】
具体例５８は、ソース進化型ノードＢ（ｅＮＢ）において実現される装置を有し、当該装置は、具体例２８〜３８の何れかの方法を実行する手段を有する。
【０１２０】
具体例５９は、ユーザ装置（ＵＥ）において実現される装置を有し、当該装置は、具体例３９〜４８の何れかの方法を実行する手段を有する。
【０１２１】
具体例６０は、ターゲット進化型ノードＢ（ｅＮＢ）において実現される装置を有し、当該装置は、具体例４９〜５４の何れかの方法を実行する手段を有する。
【０１２２】
要約に説明されたものを含む図示された実現形態のここでの説明は、包括的であること、又は本開示を開示された正確な形態に限定することを意図していない。特定の実現形態及び具体例が例示の目的のためここに説明されたが、当業者が認識するように、各種等価な修正が本開示の範囲内で可能である。これらの修正は、上記の詳細な説明に関して本開示に対して行われてもよい。
【図１】
0006359694.tif 000002
【図２】
0006359694.tif 000003
【図３】
0006359694.tif 000004
【図４】
0006359694.tif 000005
【図５】
0006359694.tif 000006
【図６】
0006359694.tif 000007
【図７】
0006359694.tif 000008
【図８】
0006359694.tif 000009
【図９】
0006359694.tif 000010